(57)【要約】【課題】画像表示装置の動作特性を容易に調整可能とする。【解決手段】特性データ設定部は、所定のタイミングにおいて、基準信号生成部は、あらかじめ用意された基準画像データに基づいてアナログの基準画像信号を生成する。信号選択部は、アナログの基準画像信号を選択する。ＡＤ変換部は、信号選択部で選択されたアナログの基準画像信号を、あらかじめ設定されている特性データに応じてディジタルの画像信号に変換させる。ＡＤ変換部から画像変換処理部に入力されるディジタルの画像信号の表す画像データが、基準画像データに近づくように、ＡＤ変換部に設定される特性データを調整する。【選択図】　　　　図１
2004021168.tif 000002
【特許請求の範囲】
【請求項１】
入力画像信号に基づく画像を表示する画像表示装置であって、
所定の画像信号に応じた画像を表示する画像表示部と、
前記入力画像信号を処理して前記所定の画像信号を出力する画像処理部と、を備え、
前記画像処理部は、
あらかじめ用意された基準画像データに基づいて、アナログの基準画像信号を生成する基準画像信号生成部と、
アナログの入力画像信号と、前記アナログの基準画像信号とのいずれか一方を選択する信号選択部と、
前記信号選択部で選択される前記アナログの入力画像信号と前記アナログの基準画像信号とのいずれか一方のアナログの画像信号を、あらかじめ設定されている特性データに応じてディジタルの画像信号に変換するＡＤ変換部と、
前記ＡＤ変換部から入力される前記ディジタルの画像信号に基づいて前記所定の画像信号を生成する画像変換処理部と、
前記ＡＤ変換部に設定されている特性データに相当するデータを更新可能に記憶する記憶部と、
前記記憶部に記憶されているデータを前記特性データとして前記ＡＤ変換部に設定する特性データ設定部と、を備え、
前記特性データ設定部は、
所定のタイミングにおいて、前記基準信号生成部で前記アナログの基準画像信号を生成させ、前記信号選択部で前記アナログの基準画像信号を選択させて、前記ＡＤ変換部から前記画像変換処理部に入力される前記ディジタルの画像信号の表す画像データが、前記基準画像データに近づくように、前記ＡＤ変換部に設定される特性データを調整するとともに、前記記憶部に記憶されているデータを更新する、
画像表示装置。
【請求項２】
請求項１記載の画像表示装置であって、
前記基準画像信号生成部は、
前記基準画像データを、前記アナログの入力画像信号のフォーマットに応じて生成し、ディジタルの基準画像信号として出力する基準画像データ生成部と、
前記ディジタルの基準画像信号を前記アナログの基準画像信号に変換するＤＡ変換部とを、備える、画像処理装置。
【請求項３】
請求項２記載の画像表示装置であって、
前記基準画像データ生成部は、前記画像変換処理部に含まれており、
前記ＤＡ変換部は、前記画像変換処理部から所定の画像信号として出力される前記ディジタルの基準画像信号を前記アナログの基準画像信号に変換する、画像表示装置。
【請求項４】
請求項１ないし請求項３のいずれかに記載の画像表示装置であって、
前記特性データ設定部は、前記特性データに含まれる複数のデータのうち、あらかじめ指定された一部のデータのみを調整する、画像表示装置。
【請求項５】
画像処理装置であって、
あらかじめ用意された基準画像データに基づいて、アナログの基準画像信号を生成する基準画像信号生成部と、
アナログの入力画像信号と、前記アナログの基準画像信号とのいずれか一方を選択する信号選択部と、
前記信号選択部で選択される前記アナログの入力画像信号と前記アナログの基準画像信号とのいずれか一方のアナログの画像信号を、あらかじめ設定されている特性データに応じてディジタルの画像信号に変換するＡＤ変換部と、
前記ＡＤ変換部から入力される前記ディジタルの画像信号に基づいて前記所定の画像信号を生成する画像変換処理部と、
前記ＡＤ変換部に設定されている特性データに相当するデータを更新可能に記憶する記憶部と、
前記記憶部に記憶されているデータを前記特性データとして前記ＡＤ変換部に設定する特性データ設定部と、を備え、
前記特性データ設定部は、
所定のタイミングにおいて、前記基準信号生成部で前記アナログの基準画像信号を生成させ、前記信号選択部で前記アナログの基準画像信号を選択させて、前記ＡＤ変換部から前記画像変換処理部に入力される前記ディジタルの画像信号の表す画像データが、前記基準画像データに近づくように、前記ＡＤ変換部に設定される特性データを調整するとともに、前記記憶部に記憶されているデータを更新する、
画像処理装置。
【発明の詳細な説明】
【０００１】
【発明の属する技術分野】
この発明は、画像表示装置の動作特性を自動的に調整する技術に関する。
【０００２】
【従来の技術】
プロジェクタでは、画像表示デバイスとして、例えば、液晶パネルやＤＭＤ（ディジタル・マイクロミラー・デバイス：ＴＩ社の商標）等が広く利用されている。また、直視型の画像表示装置としても、液晶パネルや、ＰＤＰ（プラズマ・ディスプレイ・パネル）等が広く利用されている。
【０００３】
このような表示デバイスを備える画像表示装置を構成する画像処理装置では、通常、入力されるアナログの映像信号がディジタル化され、ディジタル化された映像信号に種々の画像処理が行われる。そして画像処理装置から出力された画像信号に応じた画像が、用いられた表示デバイスにて表示される。このように、画像処理装置は、入力されるアナログの映像信号をディジタル化するために、ＡＤ変換器を含む種々の電子回路を備えている。
【０００４】
画像処理装置には、画像信号を選択するスイッチやビデオアンプ、ＡＤ変換器等のアナログデバイスが含まれている。これらのアナログデバイス間における画像信号の減衰特性のバラツキや、ＲＧＢの色信号間における減衰特性のバラツキによって、輝度特性にバラツキが発生する。このバラツキにより輝度特性の直線性や色再現性が劣化され、表示特性の品質に問題が生じる。そこで、均一した表示特性を得るために、通常、装置を組み立てる際に、組み立て装置１台ごとに、アナログ映像信号として基準の映像信号を入力して、ＡＤ変換器において適正なＡＤ変換特性が得られるような調整や、表示デバイスにおいて適正な表示特性が得られるような調整が行われている。
【０００５】
【発明が解決しようとする課題】
しかし、画像表表示装置の動作特性であるＡＤ変換器におけるＡＤ変換特性や表示デバイスにおける表示特性は、経時変化や経年変化が発生することが多く、組み立て時における調整のみでは、調整が不十分となる場合がある。また、画像表示装置の動作特性は、季節や使用環境によっても変化するため、これらの変化によっても、調整が不十分となる場合がある。
【０００６】
そこで、画像表示装置の組み立て時だけでなく、出荷後においても、画像表示装置の動作特性を容易に調整可能であることが望まれている。
【０００７】
この発明は、従来技術における上述の課題を解決するためになされたものであり、画像表示装置の組み立て時だけでなく、出荷後においても、画像表示装置の動作特性を容易に調整可能とする技術を提供することを目的とする。
【０００８】
【課題を解決するための手段およびその作用・効果】
上述の課題の少なくとも一部を解決するため、本発明の第１の態様は、入力画像信号に基づく画像を表示する画像表示装置であって、
所定の画像信号に応じた画像を表示する画像表示部と、
前記入力画像信号を処理して前記所定の画像信号を出力する画像処理部と、を備え、
前記画像処理部は、
あらかじめ用意された基準画像データに基づいて、アナログの基準画像信号を生成する基準画像信号生成部と、
アナログの入力画像信号と、前記アナログの基準画像信号とのいずれか一方を選択する信号選択部と、
前記信号選択部で選択される前記アナログの入力画像信号と前記アナログの基準画像信号とのいずれか一方のアナログの画像信号を、あらかじめ設定されている特性データに応じてディジタルの画像信号に変換するＡＤ変換部と、
前記ＡＤ変換部から入力される前記ディジタルの画像信号に基づいて前記所定の画像信号を生成する画像変換処理部と、
前記ＡＤ変換部に設定されている特性データに相当するデータを更新可能に記憶する記憶部と、
前記記憶部に記憶されているデータを前記特性データとして前記ＡＤ変換部に設定する特性データ設定部と、を備え、
前記特性データ設定部は、
所定のタイミングにおいて、前記基準信号生成部で前記アナログの基準画像信号を生成させ、前記信号選択部で前記アナログの基準画像信号を選択させて、前記ＡＤ変換部から前記画像変換処理部に入力される前記ディジタルの画像信号の表す画像データが、前記基準画像データに近づくように、前記ＡＤ変換部に設定される特性データを調整するとともに、前記記憶部に記憶されているデータを更新することを特徴とする。
【０００９】
上記構成では、所定のタイミングにおいて、ＡＤ変換部に設定される特性データを調整することができる。所定のタイミングとしては、一定の時間間隔で決定されるタイミング、ユーザによって調整指令が入力されることによって決定されるタイミング、初期化時、起動時等の種々のタイミングが考えられる。これにより、本発明の画像表示装置では、画像表示装置の組み立て時だけでなく、出荷後においても、画像表示装置の動作特性を容易に調整可能である。
【００１０】
上記画像表示装置において、前記基準画像信号生成部は、
前記基準画像データを、前記アナログの入力画像信号のフォーマットに応じて生成し、ディジタルの基準画像信号として出力する基準画像データ生成部と、
前記ディジタルの基準画像信号を前記アナログの基準画像信号に変換するＤＡ変換部とを、備えることにより構成できる。
【００１１】
なお、前記基準画像データ生成部は、前記画像変換処理部に含まれており、
前記ＤＡ変換部は、前記画像変換処理部から所定の画像信号として出力される前記ディジタルの基準画像信号を前記アナログの基準画像信号に変換するようにすることもできる。
【００１２】
また、上記画像表示装置において、前記特性データ設定部は、前記特性データに含まれる複数のデータのうち、あらかじめ指定された一部のデータのみを調整するようにしてもよい。
【００１３】
このようにすれば、調整したい動作特性のみを調整することが可能である。
【００１４】
本発明の第２の態様は、画像処理装置であって、
あらかじめ用意された基準画像データに基づいて、アナログの基準画像信号を生成する基準画像信号生成部と、
アナログの入力画像信号と、前記アナログの基準画像信号とのいずれか一方を選択する信号選択部と、
前記信号選択部で選択される前記アナログの入力画像信号と前記アナログの基準画像信号とのいずれか一方のアナログの画像信号を、あらかじめ設定されている特性データに応じてディジタルの画像信号に変換するＡＤ変換部と、
前記ＡＤ変換部から入力される前記ディジタルの画像信号に基づいて前記所定の画像信号を生成する画像変換処理部と、
前記ＡＤ変換部に設定されている特性データに相当するデータを更新可能に記憶する記憶部と、
前記記憶部に記憶されているデータを前記特性データとして前記ＡＤ変換部に設定する特性データ設定部と、を備え、
前記特性データ設定部は、
所定のタイミングにおいて、前記基準信号生成部で前記アナログの基準画像信号を生成させ、前記信号選択部で前記アナログの基準画像信号を選択させて、前記ＡＤ変換部から前記画像変換処理部に入力される前記ディジタルの画像信号の表す画像データが、前記基準画像データに近づくように、前記ＡＤ変換部に設定される特性データを調整するとともに、前記記憶部に記憶されているデータを更新することを特徴とする。
【００１５】
この構成の画像処理装置を用いて、上記画像表示装置を構成すれば、画像表示装置の組み立て時だけでなく、出荷後においても、画像表示装置の動作特性を容易に調整可能となる。
【００１６】
【発明の実施の形態】
次に、本発明の実施の形態を実施例に基づいて以下の手順で説明する。
Ａ．第１実施例：
Ａ１．画像表示装置の全体構成：
Ａ２．動作特性の調整：
Ｂ．第２実施例：
【００１７】
Ａ．第１実施例：
Ａ１．画像表示装置の構成：
図１は、本発明の第１実施例としての画像表示装置の概略構成を示すブロック図である。この画像表示装置１０００は、画像処理部として、セレクタ１０と、ＡＤ変換部２０（ＡＤＣ）と、ビデオプロセッサ３０と、コントローラ４０と、ＥＥＰＲＯＭ５０と、ＤＡ変換器６０（ＤＡＣ）とを備えている。また、画像表示装置１０００は、画像表示部として、表示ドライバ７０および表示デバイス８０を備えている。表示ドライバ７０としては、表示デバイス８０に応じたドライバが利用される。本例では、表示デバイス８０として液晶パネルを用い、表示ドライバ７０として液晶パネルを駆動するためのドライバを用いている。
【００１８】
なお、上記表示デバイス８０として、液晶パネルやＤＭＤ等を用いるとともに、これを照明するための照明装置と、表示デバイスから射出された画像を表す光（画像光）をスクリーン上に投写する投写光学系とを備えて、画像表示装置をプロジェクタとすることも可能である。
【００１９】
コントローラ４０は、ＣＰＵ、ＲＡＭ、ＲＯＭ等で構成されるコンピュータである。コントローラ４０は、セレクタ１０やＡＤ変換部２０、ビデオプロセッサ３０、ＥＥＰＲＯＭ５０等の種々のブロックの動作を制御する。例えば、ＥＥＰＲＯＭ５０に記憶されているデータを、ＡＤ変換部２０およびビデオプロセッサ３０に、ＡＤ変換部２０のＡＤ変換特性および表示デバイス８０の表示特性に関する特性データとして設定する。また、コントローラ４０は、後述するように、ＡＤ変換部２０およびビデオプロセッサ３０に設定する特性データを調整することにより、特性データに応じて決定されるＡＤ変換部２０のＡＤ変換特性および表示デバイス８０の表示特性の調整を実行し、調整された特性データをＥＥＰＲＯＭ５０に記憶する。なお、コントローラ４０が本発明の特性データ設定部に相当し、ＥＥＰＲＯＭ５０が記憶部に相当する。
【００２０】
セレクタ１０は、外部から入力されるＲＧＢフォーマットのアナログの入力画像信号Ｓａと、ＹＣｂＣｒフォーマットのアナログの入力画像信号Ｓｂのどちらかをコントローラ４０から供給される指令に基づいて選択する。さらに、セレクタ１０は、外部からの入力画像信号ＳａまたはＳｂと、ＤＡ変換器６０から入力される基準画像信号Ｓｒとのいずれか一方を、コントローラ４０から供給される指令に基づいて選択する。基準画像信号Ｓｒのフォーマットは、ＲＧＢフォーマットまたはＹＣｂＣｒフォーマットである。通常の動作時には、外部から入力されるＲＧＢフォーマットのアナログの入力画像信号ＳａまたはＹＣｂＣｒフォーマットのアナログの入力画像信号Ｓｂのどちらかが選択され、後述する動作特性の調整時には、基準画像信号Ｓｒが選択される。
【００２１】
ＡＤ変換部２０は、アナログの入力画像信号Ｓａ，Ｓｂまたはアナログの基準画像信号Ｓｒ（以下、単に「入力されるアナログの画像信号」とも呼ぶ。）を、コントローラ４０によって設定される特性データに従ってディジタルの画像信号に変換する。入力されるアナログの画像信号には、ＲＧＢフォーマットの場合、Ｒ，Ｇ，Ｂの３色の輝度信号が含まれている。また、ＹＣｂＣｒフォーマットの場合、輝度信号Ｙと、２つの色差信号Ｃｂ，Ｃｒが含まれている。なお、ＹＣｂＣｒフォーマットの入力画像信号には、ＹＰｂＰｒフォーマット等の輝度信号と色差信号とを含むフォーマットの信号も含まれる。
【００２２】
ＡＤ変換部２０には、ＡＤ変換特性を制御するためのＡＤ変換特性制御部２２が含まれている。ＡＤ変換特性制御部２２では、供給される特性データに従って、ＡＤ変換特性を制御する。
【００２３】
特性データは、あらかじめＥＥＰＲＯＭ５０に記憶されており、コントローラ４０によって読み出されて、ＡＤ変換部２０に供給される。特性データとしては、例えば、入力される画像信号の黒レベルに相当するボトムレレベルを示すデータや、白レベルに相当するトップレベルを示すデータ、ボトムレベルとトップレベルの差に対応するゲイン（利得）を示すデータ等があげられる。ただし、これらに限定されるものではなく、ＡＤ変換部に含まれるＡＤ変換特性制御部におけるＡＤ変換特性の制御方法に応じて種々のデータが特性データとして利用される。なお、ＡＤ変換部２０としては、種々の一般的なＡＤ変換器が利用できる。例えば、ザインエレクトロニクス社製のＡＤ変換器ＴＨＣ７１１６が利用できる。
【００２４】
ビデオプロセッサ３０は、メモリ制御部３２によって、ＡＤ変換回路２０から入力されるディジタルの画像信号を、一旦、フレームメモリ３４に書き込むとともに、フレームメモリ３４に書き込まれているデータを、読み出す制御を行う。この際、表示デバイスに供給可能なフォーマットの画像信号への変換、画像の拡大／縮小等の種々の画像処理を実行する。このビデオプロセッサ３０としては，ピクセルワーク製のビデオプロセッサＰＷ１６４やＰＷ３６４等が利用できる。なお、このビデオプロセッサ３０が本発明の画像変換処理部に相当する。また、フレームメモリ３４には、後述するように、コントローラ４０から供給される基準画像データが書き込まれている。動作特性の調整を実行する場合には、このフレームメモリ３４に書き込まれている基準画像データを読み出して、ビデオプロセッサ３０から出力される画像信号として、ディジタルの基準画像信号を生成することができる。生成されたディジタルの基準画像信号は、ＤＡ変換器６０でアナログの基準画像信号Ｓｒに変換されて、セレクタ１０に入力することができる。従って、このフレームメモリ３４と、メモリ制御部３２と、ＤＡ変換器６０とが本発明の基準画像信号生成部に相当する。
【００２５】
ビデオプロセッサ３０の表示特性制御部３８は、コントローラ４０によって設定される特性データ（表示特性データ）に従って表示デバイス８０で表示される画像のブライトネス、コントラスト、γ特性、色度等の種々の表示特性を制御する。
【００２６】
ビデオプロセッサ３０のＯＳＤ制御部３６は、通常、図示しない記憶部に記憶されているデータに基づいて、フレームメモリ３４から読み出される画像信号の表す画像にメニュー画面等をオーバレイ表示させる機能を有している。
【００２７】
ビデオプロセッサ３０から出力された画像信号は、表示用の画像信号として表示ドライバ７０に供給される。表示ドライバ７０は、与えられた画像信号に応じて、表示デバイス８０を駆動するための駆動信号を生成する。表示デバイス８０は、与えられた駆動信号に基づいて画像を表示する。
【００２８】
Ａ２．動作特性の調整：
ＡＤ変換部２０のＡＤ変換特性制御部におけるＡＤ変換特性や表示特性制御部３８における表示特性の調整は、所定のタイミング、例えば、コントローラ４０に備えるタイマーによって計時される一定の時間間隔で自動的に実行される。あるいは、ユーザが、コントローラ４０を介して制御されるＯＳＤ制御部３６によってメニュー画面を表示し、メニュー画面中の「自動調整制御」の項目を選択することによるタイミングで実行される。また、装置の立ち上げ時等において装置が初期化されたタイミングで実行されるようにしてもよい。
【００２９】
図２は、コントローラ４０で実行される自動調整制御ルーチンを示すフローチャートである。自動調整制御が開始されると、まず、ステップＳ１０において、自動調整の調整項目（自動調整モード）を示すパラメータＮが初期化（Ｎ＝０）される。そして、ステップＳ２０において、基準画像信号の生成を開始させる。具体的には、コントローラ４０から供給される基準画像データがメモリ制御部３２によってフレームメモリ３４に書き込まれる。そして、フレームメモリ３４に書き込まれている基準画像データがメモリ制御部３２によって読み出されてディジタルの基準画像信号が生成される。生成されたディジタルの基準画像信号は、ビデオプロセッサ３０から出力される表示用の画像信号として出力される。
【００３０】
図３は、フレームメモリに展開された基準画像データの例を示す説明図である。図に示すように、例えば、フレームメモリ３４は、ＡＤ変換部２０から供給される入力画像データが展開される領域Ｐ０（入力画像データ領域）と、ＲＧＢ用の基準画像データが展開される領域Ｐ１（ＲＧＢ基準画像データ領域）と、ＹＣｂＣｒ用の基準画像データが展開される領域Ｐ２（ＹＣｂＣｒ基準画像データ領域）とに区分されている。
【００３１】
コントローラ４０は、ＲＧＢ用の基準画像データおよびＹＣｂＣｒ用の基準画像データを生成する。生成されたＲＧＢ用の基準画像データおよびＹＣｂＣｒ用の基準画像データは、それぞれ対応するＲＧＢ基準画像データ領域Ｐ１およびＹＣｂＣｒ基準画像データ領域Ｐ２に展開される。ＲＧＢ用基準画像データとしては、グレースケールを表す画像データ（以下、単に「グレースケールデータ」と呼ぶ。）が利用される。ＹＣｂＣｒ用基準画像データとしては、カラーバーを表す画像データ（以下、単に「カラーバーデータ」と呼ぶ。）が利用される。なお、図３では、コントローラ４０により、グレースケールデータやカラーバーデータが、基準画像データ領域Ｐ１，Ｐ２に必要最小限のデータ領域として展開され、ビデオプロセッサ３０により、領域Ｐ１またはＰ２のデータが、領域Ｐ０のサイズに拡大されて出力されている例を示している。
【００３２】
フレームメモリ３４に展開された基準画像データが、ディジタルの画像信号としてビデオプロセッサ３０から出力される。ＲＧＢフォーマットの入力画像信号に対する動作特性を調整する場合には、ＲＧＢ基準画像データ領域Ｐ１に展開されたＲＧＢ用基準画像データが出力される。ＹＣｂＣｒフォーマットの入力画像信号に対する動作特性を調整する場合には、ＹＣｂＣｒ基準画像データ領域Ｐ２に展開されたＹＣｂＣｒ用基準画像データが出力される。出力されたディジタルの基準画像信号は、ＤＡ変換器６０でアナログの基準画像信号Ｓｒに変換される。
【００３３】
また、図２のステップＳ３０では、ＡＤ変換部２０への入力信号として外部からの入力画像信号ＳａまたはＳｂ（外部信号）ではなく、ＤＡ変換器６０から出力される基準画像信号Ｓｒ（内部信号）を、セレクタ１０で選択させる。なお、この基準画像信号Ｓｒは、ステップＳ２０において、コントローラ４０によりフレームメモリ３４に展開されたデータに基づいて、ビデオプロセッサ３０によって生成されたディジタルの基準画像信号をＤＡ変換器６０でアナログに変換した信号である。
【００３４】
なお、フレームメモリ３４の入力画像データ領域Ｐ０には、ＡＤ変換部２０でＡＤ変換されたディジタルの基準画像信号に含まれる画像データが展開される（図３）。
【００３５】
そして、ステップＳ４０において、パラメータＮの値に応じた調整処理が実行される。図４は、ステップＳ４０の調整処理ルーチンを示すフローチャートである。調整処理ルーチンでは、パラメータＮの値に応じた調整処理が実行される。すなわち、まず、ステップＳ４００において、Ｎの値が判断される。そして、Ｎ＝０，１，…，に応じたステップＳ４１０−０，Ｓ４１０−１，…の処理が実行される。例えば、Ｎ＝０では、ＡＤ変換部２０におけるＡＤ変換特性として、黒／白レベルの調整がＡＤ変換特性制御部２２を介して実行される。また、Ｎ＝１では、ゲインレベルの調整が実行される。Ｎ＝２以降では、例えば、表示デバイス８０の表示特性として、γ特性などによる中間輝度レベル特性の調整が実行される。
【００３６】
図５は、ＡＤ変換部２０におけるＡＤ変換特性の調整について示す説明図である。ＡＤ変換部２０から出力されるディジタルの画像信号は８ビットの画像データであるとする。基準画像信号に含まれる画像データは、上述したようにグレースケールデータであり、黒レベルから白レベルに順に変化するものとする。
【００３７】
このとき、図５に示すようにＡＤ変換部２０から出力される画像データは、理想的には、”００ｈ”〜”ＦＦｈ”（ｈは１６進数であることを示す）まで直線的に変化することが好ましい。しかしながら、実際には、セレクタ１０およびＡＤ変換部２０を構成する各回路における個別のバラツキ等によって、図５（Ａ）に示すように理想特性からずれた特性となる場合がある。この場合には、上述の自動調整において、まず、図５（Ｂ）に示すように、ＡＤ変換部２０から出力される画像データのうち、黒レベルに対応する画像データが”００ｈ”となるように、黒レベルの調整を行う。そして、図５（Ｃ）に示すように、ＡＤ変換部２０から出力される画像データのうち、白レベルに対応する画像データが”ＦＦｈ”となるように、白レベルの調整を行う。具体的には、ＡＤ変換されるアナログ画像信号の黒レベルに対する白レベルの振幅を、ゲインレベルの調整により実行する。
【００３８】
なお、フレームメモリ３４の基準画像データ領域Ｐ１，Ｐ２（図３）に展開された基準画像データのそれぞれに対応する入力画像データ領域Ｐ０（図３）における画像データの位置は、既知であるので、コントローラ４０は、入力画像データ領域Ｐ０の対応する位置の画像データを読み出すことにより、黒レベルおよび白レベルに対応する画像データの値を容易に知ることができる。
【００３９】
図２のステップＳ５０では、パラメータＮの値を１つインクリメントし、インクリメントされたＮの値がＸであるか否か判断する。Ｘは、ステップＳ４０の調整処理で実行される調整の項目数を示している。すなわち、ステップＳ５０では、全ての調整が終了したか否かを判断する。
【００４０】
調整がまだ終了していない場合には、ステップＳ２０に戻り、再びステップＳ４０において、１つインクリメントされたパラメータＮの値に対応する次の調整処理が実行される（図４参照）。全ての調整が終了した場合には、ステップＳ６０が実行される。ステップＳ６０では、ＡＤ変換部２０への入力信号として外部から入力される画像信号（外部信号）を、セレクタ１０で選択させる。
【００４１】
そして、ステップＳ７０では、外部からの入力画像信号に対応する画像信号（表示用画像信号）が、ビデオプロセッサ３０から出力されて、通常の表示動作が開始される。
【００４２】
以上、説明したように、本実施例の画像表示装置１０００では、上述したように、所定のタイミングで、コントローラ４０が自動調整を実行することができる。このとき、基準画像信号生成部で生成させた基準画像信号を入力画像信号として利用して、ＡＤ変換部２０のＡＤ変換特性を制御するＡＤ変換特性制御部２２に供給される特性データを調整することにより、ＡＤ変換部２２からビデオプロセッサ３０のフレームメモリ３４に入力された画像データが、基準画像信号の表す画像データに近づくように、理想的には等しくなるように調整することができる。また、表示デバイス８０の表示特性を制御する表示特性制御部３８に供給される特性データを調整することにより、表示特性を調整することも可能である。従って、本実施例の画像表示装置１０００では、画像表示装置の組み立て時だけでなく、出荷後においても、画像表示装置の動作特性を容易に調整可能とすることが可能である。
【００４３】
なお、図２に示した自動調整制御ルーチンでは、ステップＳ４０の調整処理ルーチンで実行可能な全ての調整項目の調整を実行する場合を例に説明しているが、これに限定されるものではなない。例えば、メニュー画面中の「自動調整制御」の項目を選択する際に、調整可能な項目のなかから調整したい項目を選択し、選択された項目の調整のみを実行するようにしてもよい。この場合には、図２に示した自動調整制御ルーチンのステップＳ１０およびステップＳ５０において、パラメータＮの値として、選択された項目に対応する値のみが設定されるような処理に変更する必要がある。ただし、この変更は、当業者であれば簡単に行うことができるので、ここではその説明を省略する。
【００４４】
また、図３に示した基準画像データは、入力画像データ領域に等しい大きさのグレースケールデータあるいはカラーバーデータである場合を例に示しているが、これに限定されるものではない。ＡＤ変換特性や表示特性の調整のための基準信号として利用できるものであればどのようなものであってもよく、例えば、以下に示す基準画像データを利用できる。
【００４５】
図６および図７は、基準画像データの変形例を示す説明図である。これらの図は、生成された基準画像信号の表す基準画像データが、ＡＤ変換部２０を介してフレームメモリ３４の入力画像データ領域Ｐ０に展開されている状態を示している。図３の例では、入力画像データ領域Ｐ０に等しい大きさのグレースケールデータやカラーバーデータがＡＤ変換部２０を介して展開される場合を示しているが、入力画像データ領域Ｐ０の一部に展開されるような基準画像データを利用することも可能である。図６（Ａ）は、基準画像データ領域Ｐ０の一部の行の領域にのみグレースケールデータやカラーバーデータが展開される例を示しており、図６（Ｂ）は、基準画像データ領域Ｐ０の一部の列の領域にのみグレースケールデータやカラーバーデータが展開される例を示しており、図６（Ｃ）は、基準画像データ領域Ｐ０の一部の行および列で表される領域にのみグレースケールデータやカラーバーデータが展開される例を示している。また、図７は、入力画像データ領域Ｐ０のうち、画像の表示期間に相当する領域の下側の垂直帰線期間に相当する領域に基準画像データが展開される例を示している。
【００４６】
なお、基準画像信号生成部としてＯＳＤ制御部３６を利用することも可能である。この場合には、メニュー画面を表示させる場合と同様に、ＯＳＤ制御部３６内にあらかじめ記憶されている基準画像データに基づいてディジタルの基準画像信号を生成することができる。
【００４７】
Ｃ．第２実施例：
図８は、本発明の第２実施例としての画像表示装置の概略構成を示すブロック図である。第２実施例の画像表示装置２０００は、独立して基準画像信号生成部９０を備える構成とした点のみが第１実施例の画像表示装置１０００と異なっている。
【００４８】
基準画像信号生成部９０には、基準画像データ生成部９２と、ＤＡ変換部９４とを備えている。基準画像データ生成部９２では、第１実施例と同様に、コントローラ４０からの指令に従って、内部に備えられる図示しないメモリに基準画像データを展開する。展開された基準画像データは、第１実施例におけるＤＡ変換器６０と同様の機能を有するＤＡ変換部９４を介して基準画像信号Ｓｒとして出力される。
【００４９】
従って、第２実施例の画像表示装置２０００においても、第１実施例の画像表示装置１０００と同様に、画像表示装置の組み立て時だけでなく、出荷後においても、画像表示装置の動作特性を容易に調整可能とすることが可能である。
【００５０】
なお、基準画像信号生成部９０は、必ずしも独立して備えられる必要はなく、他のいずれかのブロック内に備えられるようにしてもよい。
【００５１】
なお、この発明は上記の実施例や実施形態に限られるものではなく、その要旨を逸脱しない範囲において種々の態様において実施することが可能である。
【図面の簡単な説明】
【図１】本発明の第１実施例としての画像表示装置の概略構成を示すブロック図である。
【図２】コントローラ４０で実行される自動調整制御ルーチンを示すフローチャートである。
【図３】フレームメモリに展開された基準画像データの例を示す説明図である。
【図４】図２の自動調整制御ルーチンにおけるステップＳ４０の調整処理ルーチンを示すフローチャートである。
【図５】ＡＤ変換部２０におけるＡＤ変換特性の調整について示す説明図である。
【図６】基準画像データの変形例を示す説明図である。
【図７】基準画像データの別の変形例を示す説明図である。
【図８】本発明の第２実施例としての画像表示装置の概略構成を示すブロック図である。
【符号の説明】
１０００…画像表示装置
２０００…画像表示装置
１０…セレクタ
２０…ＡＤ変換部（ＡＤＣ）
２２…ＡＤ変換特性制御部
３０…ビデオプロセッサ
３２…メモリ制御部
３４…フレームメモリ
３６…ＯＳＤ制御部
３８…表示特性制御部
４０…コントローラ
５０…ＥＥＰＲＯＭ
６０…ＤＡ変換器（ＤＡＣ）
７０…表示ドライバ
８０…表示デバイス
９０…基準画像信号生成部
９２…基準画像データ生成部
９４…ＤＡ変換部（ＤＡＣ）
【図１】
2004021168.tif 000003
【図２】
2004021168.tif 000004
【図３】
2004021168.tif 000005
【図４】
2004021168.tif 000006
【図５】
2004021168.tif 000007
【図６】
2004021168.tif 000008
【図７】
2004021168.tif 000009
【図８】
2004021168.tif 000010